(57)【特許請求の範囲】
【請求項１】
上下両端部にアンカーボルトへ装着する固定用突片が設けられ、且つ、全体が縦長の矩形状を成すと共に、前面の中心線上にスリットが設けられた金属製の支持金具と、この支持金具のスリット内に上下多段的に装着される複数のケーブル支持用の受け皿体とによって構成されたトンネル用ケーブル支持具であって、
ケーブルを下から抱持する略半円弧状の湾曲面部が凹設されている前記各受け皿体に、当該湾曲面部を挟んだ状態で、その左右両側部に、上記湾曲面部内に抱持された前記ケーブルの上側面に掛け渡した樹脂バンドの両端部側を夫々挿通可能とする左右二つのロッキングヘッドを設け、これ等左右のロッキングヘッドの内部には、挿通した樹脂バンドに係合して、樹脂バンドを上記ケーブルを締め付けた状態に維持するロック爪を設けると共に、
前記湾曲面部が凹設されている受け皿体に、この湾曲面部を挟んでその左右両側に夫々ヘッド部を設け、これ等両ヘッド部の内部には、前記左右のロッキングヘッドを各々嵌め込んで固定し、且つ、これ等左右のヘッド部の外壁には、前記樹脂バンドの両端側を各々ロッキングヘッドに挿通させるための挿入口と引出し口が開口形成されていることを特徴とするトンネル用ケーブル支持具。
【請求項２】
支持するケーブルの径に合わせて、前記湾曲面部のサイズが大小異なる複数種の受け皿体が、予め用意されていることを特徴とする請求項１に記載のトンネル用ケーブル支持具。
【請求項３】
前記左右のロッキングヘッドには、いずれも内部に略Ｌ字状に屈曲形成したロック爪が収められていて、各ロック爪は、その刃先が前記各ヘッド部の引出し口の方向に向いた状態で、且つ、挿通した前記樹脂バンドの面に弾接する状態に設けられていることを特徴とする請求項１に記載のトンネル用ケーブル支持具。
【請求項４】
前記受け皿体の全体が、難燃性の合成樹脂材を用いて一体成形されていることを特徴とする請求項１または２に記載のトンネル用ケーブル支持具。
【発明の詳細な説明】
【技術分野】
【０００１】
本発明は、電力ケーブルや通信ケーブルと言った各種のケーブル類（以下単にケーブルという）を、トンネル内に布設する時に用いて好適なトンネル用ケーブル支持具に関するものである。
【背景技術】
【０００２】
トンネル内への各種ケーブルの布設に当たっては、例えば、特許文献１に見られるように、トンネル内の側壁に対して、縦添え状態にして間隔的に多数取り付けられる金属製の支持金具と、これ等各支持金具の前面に上下に多段的に取り付けられる複数個の受け皿体（受座）と、によって構成されているトンネル用ケーブル支持具が、一般的に使用されている。
【０００３】
しかし、上記の特許文献１に見られるように、ケーブルを単に受け皿体の円弧状部分（凹部）に載置しただけの状態で布設した場合には、列車通過時の強烈な風圧や振動等を受けて、ケーブルが受け皿体からはずれて垂れ下がってしまう危険があるため、従来は、例えば特許文献２や３、或いは、添付した図４に見られるように、受け皿内に載置したケーブルが容易に外れないようにするための工夫を施したり、或いは、特許文献４に見られるように、受け皿にケーブル脱落防止用のバンドを取り付けたり、更には、添付した図５（Ａ），（Ｂ）に示すように、受け皿６０に載置したケーブルＫを紐又はワイヤーＷ等で縛着したりして、脱落を防止していた。
【０００４】
而して、図４に示した（従来例１）は、上記特許文献２に記載の構成を説明したものであって、図中、ＴＮはトンネルの壁面符号２０に全体的に示したものは、上下両端部にアンカーボルト４０，４０へ装着するための挿通穴２１Ａ，２１Ａを備えた固定用耳部２１，２２が設けられた支持金具である。
【０００５】
この支持金具２０には図示の如く中心線上に沿ってスリット２０Ｖが設けられ、このスリット２０Ｖに複数個の受け皿体５０Ｘ…が多段的に取り付けられている。各受け皿体５０Ｘ…は、ボルト５２を介して相対的に摺動できるように連結されている固定部材５０と可動部材５１とから成り、これ等両部材５０，５１は、布設されたケーブルＫを締め付け状態に抱持できるように、相対向した湾曲面部５０Ｒ，５１Ｒを備えている。また、固定部材５０の背面部には、スリット２０Ｖ内に挿入して受け皿５０Ｘを９０°回転することで、支持金具２０の裏面側に係止することができる係止部５０’が設けられている。
【０００６】
更に図４において、前述したボルト５２は上記可動部材５１及びそのガイド筒５４を挿通して、先端のネジ部が戻しバネ５２Ｓを介して上記固定部材５０に設けたナット５３Ｓに螺合されていて、このボルト５２の締め付け具合によって、上記ケーブルＫに対する上記固定部材５０と可動部材５１による係止力を強弱自由に調節して、ケーブルＫの脱落を防止している。
【０００７】
また、（従来例２）が示されている図５（Ａ），（Ｂ）において、６０は受け皿体、６１はその基台部、６２は受け皿体６０に設けた紐又はワイヤーＷの挿通部、ＣＫはケーブルＫの周面部に懸渡した紐又はワイヤーＷに取り付けたカバー、ＷＸは紐又はワイヤーＷの縛着部であって、受け皿体６０内に載置（布設）されたケーブルＫは、図示の如く紐又はワイヤーＷによって受け皿体６０内に縛着される仕組みになっている。
【先行技術文献】
【特許文献】
【０００８】
【特許文献１】実開昭５９−１０７５３０号公報
【特許文献２】特開２００４−１４０９８５号公報
【特許文献３】特開２００４−１４０９８４号公報
【特許文献４】実公昭４５−９７３９号公報
【発明の概要】
【発明が解決しようとする課題】
【０００９】
しかしながら、上記特許文献２に記載のケーブル支持具は、これを添付した図４の（従来例１）の記載に従って説明すると、ケーブルＫを支持する受け皿体５０Ｘが、固定部材５０と可動部材５１に分割形成され、且つ、これ等両部材５０と５１をボルト１２を螺動操作して相対的に摺動させることにより、両部材５０，５１の湾曲面部５０Ｒ，５１Ｒの間隔を調整して、ケーブルＫを抱持する仕組みに成っているため、構成が頗る複雑で、製造価格が高くなる問題と、ケーブルＫの抱持作業が繁雑化する問題があった。
【００１０】
また、上記特許文献３に記載のケーブル支持装置も、当該公報の記載に従って説明すると、雌ねじ５に対する雄ねじ６のねじ込み具合によって、受け皿６としての弾性板によるケーブルＣの締め付け具合を調整する構成であるため、支持金具１に対して多段的に取り付けられる各受け皿４の構造が複雑で、ケーブル支持具の製造単価が高くなって、工事価格の高騰を招いてしまう問題があった。
【００１１】
更に、前記特許文献４に記載のケーブル支持装置は、バンド１１の両端に設けた鉤孔１２，１２を、支持金具８の凹部の両側に切起して形成した鉤片１０，１０に係合させることにより、金具８の凹部６に載置したケーブルａを把持固定する構成であるため、ケーブルａに対する締め付け力を強弱調節することができず、従って、ケーブルａの太さ（直径）が異なると、充分な結着力（固着力）を発揮できない問題があり、また、前記図５に示した（従来例２）に記載のケーブル支持具は、縛着した紐又はワイヤーＷが過年で伸びたり、縛着が緩んだりして、トンネル内での支持に支障を来たり、更には、縛着部ＷＸが強固にねじられていて、容易に取り外したり交換したりすることができない問題があった。
【００１２】
従って本発明の技術的課題は、トンネル内への各種ケーブルの布設工事を、比較的簡単な作業にて迅速に、且つ、確実に行えるように工夫したトンネル用ケーブル支持具を提供することである。
【課題を解決するための手段】
【００１３】
（１）  上記の技術的課題を解決するために、本発明の請求項１に係るトンネル用ケーブル支持具は、上下両端部にアンカーボルトへ装着する固定用突片が設けられ、且つ、全体が縦長の矩形状を成すと共に、前面の中心線上にスリットが設けられた金属製の支持金具と、この支持金具のスリット内に上下多段的に装着される複数のケーブル支持用の受け皿体とによって構成されたトンネル用ケーブル支持具であって、
ケーブルを下から抱持する略半円弧状の湾曲面部が凹設されている前記各受け皿体に、当該湾曲面部を挟んだ状態で、その左右両側部に、上記湾曲面部内に抱持された前記ケーブルの上側面に掛け渡した樹脂バンドの両端部側を夫々挿通可能とする左右二つのロッキングヘッドを設け、これ等左右のロッキングヘッドの内部には、挿通した樹脂バンドに係合して、樹脂バンドを上記ケーブルを締め付けた状態に維持するロック爪を各々設けると共に、
前記湾曲面部が凹設されている受け皿体に、この湾曲面部を挟んでその左右両側に夫々ヘッド部を設け、これ等両ヘッド部の内部には、前記左右のロッキングヘッドを各々嵌め込んで固定し、且つ、これ等左右のヘッド部の外壁には、前記樹脂バンドの両端側を各々ロッキングヘッドに挿通させるための挿入口と引出し口が開口形成されていることを特徴としている。
【００１４】
（２）  また、本発明の請求項２に係るトンネル用ケーブル支持具は、支持するケーブルの径に合わせて、前記湾曲面部のサイズが大小異なる複数種の受け皿体が、予め用意されていることを特徴としている。
れていることを特徴としている。
【００１５】
（３）  また、本発明の請求項３に係るトンネル用ケーブル支持具は、前記左右のロッキングヘッドには、いずれも内部に略Ｌ字状に屈曲形成したロック爪が収められていて、各ロック爪は、その刃先が前記各ヘッド部の引出し口の方向に向いた状態で、且つ、挿通した前記樹脂バンドの面に弾接する状態に設けられていることを特徴としている。
【００１６】
（４）  更に、本発明の請求項４に係るトンネル用ケーブル支持具は、前記受け皿体の全体が、難燃性の合成樹脂材を用いて一体成形されていることを特徴としている。
【００１７】
上記（１）で述べた請求項１に係るトンネル用ケーブル支持具によれば、トンネルの壁面にアンカーボルトを用いて多数のケーブル支持具を間隔的に取り付け、且つ、これ等各ケーブル支持具に装着した受け皿体の湾曲面部の間に、各種ケーブルを上から嵌め込み、次いで、樹脂ハンドルを引き締めて抱持させれば、トンネル内の壁面に各種ケーブルを容易に敷設することができる。
【００１８】
加えて、上記（１）で述べた請求項１に係るトンネル用ケーブル支持具によれば、各受け皿体の湾曲面部に抱持されたケーブルは、ロッキングヘッドによる弛み止め機能を備えている樹脂バンドの締め付け作用によって、各受け皿体、即ち、ケーブル支持具側に確実に固定されるため、列車等の車輌通過時の風圧や震動等によってケーブルが受け皿体から外れて垂れ下がる心配がなく、列車等の運行を安全に守ることができると共に、長年に亘ってその支持状態を維持することを可能にする。
【００１９】
また、上記（２）で述べた請求項２に係るトンネル用ケーブル支持具によれば、トンネル内に布設されるケーブルには、信号用や照明用等、各種のものが存在し、その用途によってケーブル径も相違するが、ケーブル径の多少の相違は樹脂バンドの締め付け具合を調整することにより充分に対応可能である。一方、ケーブル径の差が大きい場合、或いは、ケーブル径が極端に細い場合には、予め用意されている中から、そのケーブル径に合った湾曲面部を備える受け皿体を選んで使用することにより、各種径のケーブルに対応した支持作用を発揮することができる。
【００２０】
また、上記（２）と（４）で述べた請求項２及び４に係るトンネル用ケーブル支持具によれば、受け皿体とロッキングヘッドが別々に造られていて、受け皿体を例えば難燃ナイロンのような難燃性合成樹脂材料を用いて一体成形できるため、大量生産による生産コストの低減化を図れると共に、左右のロッキングヘッドは別生産して、その後、受け皿体の左右のヘッド部内に夫々組み込む生産方式の採用により、生産性の向上を図ることを可能にする。
【００２１】
更に、上記３で述べた請求項３に係る手段によれば、受け皿体の左右のヘッド部内に取り付けられた ロッキングヘッドのロック爪は、樹脂バンドの挿通（挿入）は可能にするが、これを引き戻す方向に引っ張ると、ロック爪の刃先が樹脂バンドの面に食い込んでロックする。
【００２２】
従って、一旦引き締めてケーブルを受け皿体の湾曲面部内に抱持した樹脂バンドは、これを緩める方向に操作することは非常に難しく、従って、切断工具類等でこれを切断しない限り、受け皿体への 抱持状態は解除できないことになる。
【発明の効果】
【００２３】
以上述べた次第で、本発明に係るトンネル用ケーブル支持具によれば、トンネルの内壁面に取り付けた金属製の支持金具に対し、上下多段式に装着されている各受け皿体の湾曲面部に抱持された各ケーブルを、樹脂バンドの引き締めによってその抱持状態が保持され、且つ、この抱持状態をロッキングヘッドのロック爪が確実に維持できるものであって、全体の構成が比較的簡単で、而も、低コストにて製造可能な点、並びに、ロック爪の係止によって樹脂バンドによる各種ケーブルの抱持状態を長期間に亘って維持できる点と相俟って、鉄道や道路といった各種交通手段用トンネルへのケーブル布設に用いて、洵に好適なものである。
【図面の簡単な説明】
【００２４】
【図１】（Ａ）は本発明に係るトンネル用ケーブル支持具の実施例を示した側面図で、（Ｂ）はその正面図、（Ｃ）の（イ）と（ロ）は本発明で使用するロッキングヘッドの実施例を示した側面図と平面図である。
【図２】本発明で使用する金属製支持金具の実施例を示したもので、（Ａ）は一部破断平面図、（Ｂ）は一部破断側面図、（Ｃ）は底面図である。
【図３】本発明に係るトンネル用ケーブル支持具を用いて、トンネル内に布設するケーブルを支持している状態を説明した側面図である。
【図４】従来例１の構成を説明した一部断面側面図である。
【図５】（Ａ）は従来例２の構成を説明した側面図で、（Ｂ）はその平面図である。
【発明を実施するための形態】
【００２５】
以下に、上述した本発明に係るトンネル用ケーブル支持具の実施の形態について、これを図面と共に詳細に説明すると、図１において符号１０で全体的に示したのは、本発明を構成する受け皿体であって、例えば、難燃ナイロンの如き難燃性の合成樹脂材を用いて一体成形されたこの受け皿体１０は、敷設するケーブルＫを下から受け止めて抱持する略半円弧形状の湾曲面部１１が凹接された支持アーム１０Ｔと、この支持アーム１０Ｔの根端部に一体形成された基台部１２とによって構成されていて、この受け皿体１０は支持するケーブルＫの径の種類（大小）に合わせて、上記湾曲面部１１の径が異なるものが予め複数種用意されている。
【００２６】
しかし、本発明で使用する受け皿体１０は、図１（Ａ）に示す如く、後述する樹脂バンドの締め付け具合によって、一定の径のケーブルＫだけではなく、点線で示した異なる径のケーブルＫＳも抱持可能であるため、ある程度の範囲内であれば、ケーブル径の大小に適応することは可能である。
【００２７】
更に図中、１３と１４は上記湾曲面部１１を挟んだ状態で、上記支持アーム１０Ｔの左右の上端部分に設けたヘッド部で、これ等左右のヘッド部１３，１４の内部には、左右のロッキングヘッド１５，１７が、夫々支持アーム１０Ｔの側面手前側より嵌め込んで接着固定されている。
【００２８】
次に、３０は上記のケーブルＫ又はＫＳを上記受け皿体１０の湾曲面部１１の中に締め付けて抱持させる樹脂バンドで、例えば比較的硬質の難燃性の合成樹脂材（例えば難燃ナイロン）を用いて構成されている。尚、この樹脂バンド３０は、例えば、長尺に形成されたものを必要な長さに切断しながら使用するが、予め同一長さに切断したものを使用するようにしてもよく、その選択は任意とする。
【００２９】
また、上記左右のヘッド部１３，１４には、上記樹脂バンド３０の根端側３０Ｂと先端部３０Ａを挿入し、且つ、挿通させるための入り口１３Ａ，１４Ａと、出口１３Ｂ，１４Ｂが夫々形成され、更に、左右のロッキングヘッド１５，１７には、上記樹脂バンド３０の挿通路Ｈ，Ｈが形成されている。また、これ等一方の入り口１３Ａ，挿通路Ｈ，出口１３Ｂと、他方の入り口１４Ａ，挿通路Ｈ，出口１４Ｂは、夫々が斜め上方に向けて同一線上に位置するように設けられていて、上記樹脂バンド３０の根端側３０Ｂと先端側３０Ａのスムーズな挿通を可能にしている。
【００３０】
更に具体的には、上記左右のロッキングヘッド１５，１７は、各ヘッド部１３，１４の内部に、図１（Ａ）に示す如く夫々が抱持するケーブルＫの上部接線方向に向けて斜め上向きに傾斜させた状態に取り付けられていて、ケーブルＫの上部周面に掛け渡した樹脂バンド３０の根端部３０Ｂ及び先端部３０Ａの挿通と締め付けを、効果的に行えるように構成している。
【００３１】
加えて、各ロッキングヘッド１５，１７の内部には、図示の如く全体が略Ｌ字形状に形成され、且つ、各刃先を夫々出口１３Ｂ，１４Ｂの方向に向けた状態で、前記挿通路Ｈ，Ｈ内に挿通された樹脂バンド３０の内側面、及び、外側面に夫々接する様に構成した左右のロック爪１６と１８が、図１（Ｃ）の（イ）、（ロ）に示した取付台１６Ｔ，１８Ｔに支持された状態で取付られている。尚、図１（Ａ）において、１２Ｔはロッキングヘッド１５を固定するために、前記基台部１２に設けた保持部であって、この保持部１２Ｔも前記ヘッド部１３の一部を構成している。
【００３２】
従って、各ロッキングヘッド１５，１７の各ロック爪１６，１８は、樹脂バンド３０の根端部３０Ｂと先端部３０Ａが、夫々ロッキングヘッド１５，１７の出口１３Ｂ，１４Ｂの方向に挿通されている時、即ち、締め付け操作時には、両端部３０Ｂ，３０Ａ側の面に刃先が係止せずにその挿通をフリーにしているが、当該端部３０Ｂ，３０Ａに対して各ロッキングヘッド１５，１７の入り口１３Ａ，１４Ａの方向に引き戻す力が作用されると、刃先が樹脂バンド３０の面に食い込んで、樹脂バンド３０の引き戻しをロックする仕組みに成っている。
【００３３】
以上の事から、図１（Ａ）に示すように、受け皿体１０の湾曲面部１１にケーブルＫを載置した状態、又は、載置する前に、樹脂バンド３０の根端部３０Ｂ側を、一方のヘッド部１３の入口１３Ａから、一方のロッキングヘッド１５の挿通路Ｈを挿通して出口１３Ｂから引き出した後、この樹脂バンド３０を受け皿体１０の湾曲面部１１内に抱持されたケーブルＫの上周面に掛け渡し、次いで、当該樹脂バンド３０の先端部３０Ａ側を、他方のヘッド部１４の入口１４Ａから、他方のロッキングヘッド１７の挿通路Ｈ内を挿通させて出口１４Ｂから引出、これを矢印に示す長手方向に引っ張れば、先ず、一方の ロッキングヘッド１５のロック爪１５の刃先が樹脂バンド３０の根端部３０Ｂ側の面に食い込んでロックし、その後、その引張力を解除すれば、樹脂バンド３０に引き戻し力が作用するため、他方のロッキングヘッド１７のロック爪１８の刃先が、樹脂バンド３０の先端部３０Ａ側の面に食い込んでロックするため、両端部側３０Ａと３０Ｂがこの様にロックされた樹脂バンド３０によって、ケーブルＫを受け皿体１０の湾曲面部１１内に強力に抱持させることができる。
【００３４】
尚、上記樹脂バンド３０を矢印方向に引っ張る場合は、作業員が樹脂バンド３０の先端部３０Ａ側を手で持って引っ張っても、或いは、専用の工具類も用いて引っ張ってもよく、また、一度樹脂バンド３０で受け皿体１０に抱持させたケーブルＫを取り外す場合は、切断工具等で樹脂バンド３０を切断すれば、ケーブルＫの取り外しと、各ロッキングヘッド１５，１７からの切断済み樹脂バンド３０の取り外しを容易に行うことができる。
【００３５】
図２は、本発明に係るトンネル用ケーブル支持具を構成する金属製の支持金具２０の構成を示したものであって、（Ａ）図はその一部省略正面図、（Ｂ）図はその側面図、（Ｃ）図は底面図であり、これ等の図面において夫々符号２０で全体的に示した支持金具は、上下両端部に夫々アンカーボルト４０，４０（図３参照）へ装着する略Ｌ字形状の固定用突片２１，２２が突接された縦長の矩形状を成すと共に、前面の中心線上にスリット２０Ｈが大きく開口形成された、断面が上向きの略凹型形状に形成されている。
【００３６】
更に図２において、２０Ａ，２０Ａは上記のスリット２０Ｈの両サイドを構成する左右のガイド板で、２０Ｎはスリット２０Ｈの上端口、２３はスリット２０Ｈの下端口を塞ぐストッパー、２１Ａと２２Ａは前述した上下の固定用突片２１，２２に設けた上記アンカーボルト４０，４０用の取付穴であって、上部の取付穴２１Ａは横長に形成され、下部の取付穴２２Ａは縦長に形成されていて、アンカーボルト４０，４０によるトンネル内壁面ＴＮへの取付け角度や、上下の位置を調節可能に構成している。
【００３７】
以上の如く構成した多数の金属製支持金具２０…を、トンネルの内壁面ＴＮに対して、トンネルの長さ横方向に所定の間隔で夫々アンカーボルト４０，４０を用いて固定した後、各支持金具２０の上端口２０Ｎより、前述した各受け皿体１０…の基台部１２…を空洞状に形成された支持金具２０の内部に落とし込めば、図３に示す様に複数の受け皿体１０…を、その支持アーム１０Ｔ…を夫々前記スリット２０Ｈよりトンネル内の方向に突出させた状態で、トンネルの内壁面ＴＮに取付けることができる。
【００３８】
図３では、３台目の 受け皿体１０を上から落とし込んでいる状態が示されており、従って、図示したサイズの支持金具２０には、計４台の受け皿体１０…を落とし込むことが可能であるが、これは実施の一例であって、支持金具２０の長さを変えることによって、受け皿体１０…の落とし込み台数、即ち、 ケーブルＫの支持本数を加減可能であることは勿論である。
【００３９】
また、図２、図３において夫々符号２３’で示したのは、上記支持金具２０の上端口２０Ｎの下側部分に設けたストッパー用差込穴であって、図示した実施例では、計４台の受け皿体１０…を支持金具２０の内部に落とし込んだ後に、この差込穴２３’に棒状のストッパー（図示省略）を差し込んでロックすれば、支持金具２０内からの受け皿体１０の抜け出し（脱落）を防止可能にしている。
【００４０】
一般的には、上記受け皿体１０の湾曲面部１１へのケーブルＫの嵌め込みと、樹脂バンド３０による締め付け作業は、受け皿体１０を支持金具２０に取付た後に夫々行うが、これは、 受け皿体１０を先にケーブルＫの所定箇所に感覚的に取付、その後、各 受け皿体１０…をトンネルの内壁面ＴＮに感覚的に取付けられている各支持金具２０に嵌め込んで取付けるようにしてもよく、その選択は任意とする。
【産業上の利用可能性】
【００４１】
上述した実施例の説明では、本発明を鉄道用トンネルのケーブル敷設用として使用することが記載されているが、これは実施の一例であって、本発明は自動車専用のトンネルや人間専用のトンネルにも利用可能であって、各種トンネルへのケーブルの布設に利用して頗る好適なものである。
【符号の説明】
【００４２】
Ｋ          ケーブル
１０        受け皿体
１１        湾曲面部
１２        基台部
１３，１４  ヘッド部
１３Ａ，１４Ａ        挿入口
１３Ｂ，１４Ｂ        引出し口
１５，１７  ロッキングヘッド
１６，１８  ロック爪
２０        支持金具
２０Ｈ      スリット
２１，２２  固定用突片
２３        ストッパー
３０        樹脂バンド
４０        アンカーボルト
ＴＮ        トンネルの内壁面
【図１】
0005547130.tif 000002
【図２】
0005547130.tif 000003
【図３】
0005547130.tif 000004
【図４】
0005547130.tif 000005
【図５】
0005547130.tif 000006